(57)【要約】【課題】所望の検査項目に関連する薬品の投与履歴情報を容易に確認することが可能な医療支援装置、医療支援プログラム及び医療支援方法を提供すること。【解決手段】医療支援装置は、患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定する特定処理部と、前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示する提示処理部とを備える。【選択図】図１
2019021268.tif 000002
【特許請求の範囲】
【請求項１】
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定する特定処理部と、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示する提示処理部と、
を備える医療支援装置。
【請求項２】
前記提示処理部は、前記検査項目識別情報各々に対応する前記関連薬品識別情報に対応する前記投与履歴情報を、前記検査項目識別情報に対応する前記検査履歴情報に隣接させて配置する、
請求項１に記載の医療支援装置。
【請求項３】
前記提示処理部は、前記検査履歴情報及び前記投与履歴情報を予め定められた時間軸方向に共通の時間軸に従って配置すると共に、前記検査項目識別情報各々に対応する前記関連薬品識別情報に対応する前記投与履歴情報を、前記検査項目識別情報に対応する前記検査履歴情報に対して前記時間軸方向に直交する方向に隣接させて配置する、
請求項２に記載の医療支援装置。
【請求項４】
前記特定処理部は、前記検査項目識別情報各々に対して一又は複数の前記関連薬品識別情報が対応付けられた対応関係情報に基づいて、前記検査項目識別情報に対応する一又は複数の前記関連薬品識別情報を特定する、
請求項１〜３のいずれかに記載の医療支援装置。
【請求項５】
前記提示処理部は、前記薬歴データに含まれる前記薬品識別情報のうちの前記関連薬品識別情報に対応する前記投与履歴情報のみを提示する、
請求項１〜４のいずれかに記載の医療支援装置。
【請求項６】
前記提示処理部は、前記関連薬品識別情報に対応する前記投与履歴情報を、前記関連薬品識別情報以外の前記薬品識別情報に対応する前記投与履歴情報よりも強調して提示する、
請求項１〜４のいずれかに記載の医療支援装置。
【請求項７】
前記検査データに含まれる前記検査項目識別情報の中からユーザー操作に応じて一又は複数の前記検査項目識別情報を注目検査項目識別情報として選択する選択処理部を更に備え、
前記特定処理部は、前記選択処理部により選択される前記注目検査項目識別情報各々に対応する一又は複数の前記薬品識別情報を前記関連薬品識別情報として特定する、
請求項１に記載の医療支援装置。
【請求項８】
前記提示処理部は、前記検査データに含まれる前記検査項目識別情報を、対応する前記検査履歴情報と共に表示部に表示させ、
前記選択処理部は、前記表示部に表示された前記検査項目識別情報の中からユーザー操作に応じて前記注目検査項目識別情報を選択し、
前記特定処理部は、前記選択処理部により前記注目検査項目識別情報が選択されたことに応じて、当該注目検査項目識別情報に対応する前記関連薬品識別情報を特定し、
前記提示処理部は、前記関連薬品識別情報に対応する前記投与履歴情報を前記表示部に表示させる、
請求項７に記載の医療支援装置。
【請求項９】
前記提示処理部は、前記関連薬品識別情報及び前記投与履歴情報が非表示の状態で、前記検査データに含まれる前記検査項目識別情報を、対応する前記検査履歴情報と共に表示部に表示させる、
請求項８に記載の医療支援装置。
【請求項１０】
前記提示処理部は、前記薬歴データに含まれる前記薬品識別情報に対応する前記投与履歴情報を、前記関連薬品識別情報に対応する前記投与履歴情報と他の前記投与履歴情報とを区別可能な態様で、予め定められた投与履歴表示領域に表示する、
請求項７に記載の医療支援装置。
【請求項１１】
前記提示処理部は、前記投与履歴表示領域に表示される前記投与履歴情報のうち、前記関連薬品識別情報に対応する前記投与履歴情報を先頭に表示する、
請求項１０に記載の医療支援装置。
【請求項１２】
前記提示処理部は、前記関連薬品識別情報に対応する前記投与履歴情報を強調表示する、
請求項１０又は請求項１１に記載の医療支援装置。
【請求項１３】
前記提示処理部は、前記検査項目識別情報に対応する前記検査履歴情報を、予め定められたグラフ表示領域に、検査時期及び検査値を示す折れ線グラフで表示し、
前記選択処理部は、前記グラフ表示領域に表示される一又は複数の前記折れ線グラフの中からユーザー操作に応じて選択される前記折れ線グラフに対応する前記検査項目識別情報を前記注目検査項目識別情報として選択する、
請求項７〜１２のいずれかに記載の医療支援装置。
【請求項１４】
前記グラフ表示領域に表示される前記折れ線グラフに含まれる線分の中からユーザー操作に応じて選択される線分に対応する期間を注目期間として設定する設定処理部を更に備え、
前記提示処理部は、前記関連薬品識別情報に対応する前記投与履歴情報のうち、前記注目期間に対応する部分を強調表示する、
請求項１３に記載の医療支援装置。
【請求項１５】
前記グラフ表示領域に表示される前記折れ線グラフに含まれる線分のうち、ユーザー操作に応じて選択される日付を跨ぐ線分に対応する期間を注目期間として設定する設定処理部を更に備え、
前記提示処理部は、前記関連薬品識別情報に対応する前記投与履歴情報のうち、前記注目期間に対応する部分を強調表示する、
請求項１３に記載の医療支援装置。
【請求項１６】
前記提示処理部は、予め定められた期間において前記患者に投与された全ての薬品に関する前記投与履歴情報を前記投与履歴表示領域に表示する、
請求項１０〜１５のいすれかに記載の医療支援装置。
【請求項１７】
予め定められた条件を満たす薬品を注目薬品として判定する判定処理部を更に備え、
前記提示処理部は、前記注目薬品に関する前記投与履歴情報を識別可能に提示する、
請求項１〜１６のいずれかに記載の医療支援装置。
【請求項１８】
前記提示処理部は、前記関連薬品識別情報に対応する薬品以外の前記注目薬品に関する前記投与履歴情報を、予め定められた注目薬品表示領域に表示する、
請求項１７に記載の医療支援装置。
【請求項１９】
ユーザー操作に応じて注目期間を設定する設定処理部と、
前記薬歴データに基づいて、前記注目期間に投与状況又は薬効状態が変化した薬品を注目薬品として判定する判定処理部とを更に備え、
前記提示処理部は、前記注目薬品に関する前記投与履歴情報を識別可能に提示する、
請求項１〜１４のいずれかに記載の医療支援装置。
【請求項２０】
前記判定処理部は、薬品ごとに予め定められた効果発現時間及び効果持続時間の情報に基づいて、前記注目期間に薬効状態が変化した薬品を前記注目薬品として判定する、
請求項１９に記載の医療支援装置。
【請求項２１】
コンピュータに、
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することと、
を実行させるための医療支援プログラム。
【請求項２２】
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することと、
を含む医療支援方法。
【発明の詳細な説明】
【技術分野】
【０００１】
本発明は、医療支援装置、医療支援プログラム及び医療支援方法に関する。
【背景技術】
【０００２】
処方歴に含まれる処方薬に関連する検査項目がある場合に、前記検査項目の検査結果を取得して、前記処方薬の処方歴と共に前記検査項目の検査結果の履歴をディスプレイに出力することが可能な電子カルテ装置が知られている（例えば、特許文献１参照）。
【先行技術文献】
【特許文献】
【０００３】
【特許文献１】特開２０１４−１９１４１５号公報
【発明の概要】
【発明が解決しようとする課題】
【０００４】
しかしながら、前記電子カルテ装置では、例えば、特定の検査項目に関する検査結果の履歴において検査値の異常な変化が見つかった場合に、そのような異常な変化を引き起こした可能性のある薬品を特定することが容易ではない。
【０００５】
本発明の目的は、所望の検査項目に関連する薬品の投与履歴情報を容易に確認することが可能な医療支援装置、医療支援プログラム及び医療支援方法を提供することにある。
【課題を解決するための手段】
【０００６】
本発明に係る医療支援装置は、患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定する特定処理部と、前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示する提示処理部とを備える。
【０００７】
本発明に係る医療支援プログラムは、コンピュータに、患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することとを実行させるための医療支援プログラムである。
【０００８】
本発明に係る医療支援方法は、患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することとを含む。
【発明の効果】
【０００９】
本発明によれば、所望の検査項目に関連する薬品の投与履歴情報を容易に確認することが可能な医療支援装置、医療支援プログラム及び医療支援方法が提供される。
【図面の簡単な説明】
【００１０】
【図１】図１は、本発明の実施形態に係る医療支援システムの構成を示すブロック図である。
【図２】図２は、本発明の実施形態に係る医療支援システムで用いられる第１関連付けマスタの一例を示す図である。
【図３】図３は、本発明の実施形態に係る医療支援システムで用いられる第２関連付けマスタの一例を示す図である。
【図４】図４は、本発明の実施形態に係る医療支援システムで用いられる薬歴データの一例を示す図である。
【図５】図５は、本発明の実施形態に係る医療支援システムで用いられる検査データの一例を示す図である。
【図６】図６は、本発明の実施形態に係る医療支援システムで実行される履歴表示処理の手順の一例を示すフローチャートである。
【図７】図７は、本発明の実施形態に係る医療支援システムで実行される履歴表示処理の手順の一例を示すフローチャートである。
【図８】図８は、本発明の実施形態に係る医療支援システムで実行される履歴表示処理の手順の一例を示すフローチャートである。
【図９】図９は、本発明の実施形態に係る医療支援システムで表示される履歴画面の一例を示す図である。
【図１０】図１０は、本発明の実施形態に係る医療支援システムで表示される履歴画面の一例を示す図である。
【図１１】図１１は、本発明の実施形態に係る医療支援システムで表示される履歴画面の一例を示す図である。
【図１２】図１２は、本発明の実施形態に係る医療支援システムで表示される履歴画面の一例を示す図である。
【図１３】図１３は、本発明の実施形態に係る医療支援システムで表示される履歴画面の一例を示す図である。
【図１４】図１４は、本発明の実施形態に係る医療支援システムで表示される履歴画面の一例を示す図である。
【図１５】図１５は、本発明の実施形態に係る医療支援システムで表示される履歴画面の一例を示す図である。
【図１６】図１６は、本発明の実施形態の変形例に係る医療支援システムで表示される履歴画面の一例を示す図である。
【図１７】図１７は、本発明の実施形態の変形例に係る医療支援システムで表示される履歴画面の一例を示す図である。
【図１８】図１８は、本発明の実施形態の変形例に係る医療支援システムで表示される履歴画面の一例を示す図である。
【図１９】図１９は、本発明の実施形態の変形例に係る医療支援システムで表示される履歴画面の一例を示す図である。
【図２０】図２０は、本発明の実施形態の変形例に係る医療支援システムで表示される履歴画面の一例を示す図である。
【図２１】図２１は、本発明の実施形態の変形例に係る医療支援システムで表示される履歴画面の一例を示す図である。
【図２２】図２２は、本発明の実施形態の変形例に係る医療支援システムで表示される履歴画面の一例を示す図である。
【図２３】図２３は、本発明の実施形態の変形例に係る医療支援システムで表示される履歴画面の一例を示す図である。
【図２４】図２４は、本発明の実施形態の変形例に係る医療支援システムで表示される履歴画面の一例を示す図である。
【図２５】図２５は、本発明の実施形態の変形例に係る医療支援システムで表示される履歴画面の一例を示す図である。
【図２６】図２６は、本発明の実施形態の変形例に係る医療支援システムで表示される履歴画面の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定する性格のものではない。
【００１２】
［医療支援システム１０］
図１に示すように、本発明の実施形態に係る医療支援システム１０は、サーバー１、クライアント端末２、及びプリンター３などを備える。前記サーバー１、前記クライアント端末２、及び前記プリンター３は、通信網４を介して無線又は有線で通信可能に接続される。前記通信網４は、ＬＡＮ、ＷＡＮ、インターネット、又はイントラネットなどである。また、前記サーバー１には、前記通信網４を介して上位システム５が接続される。
【００１３】
前記上位システム５は、例えば電子カルテシステム、オーダーリングシステム、又はレセプトシステムなどである。そして、前記上位システム５は、患者に対する薬品の処方に関する処方データ、患者について行われた各種の検査の検査結果に関する検査データ、及び患者の個人情報を示す患者データなどを前記サーバー１に入力する。なお、前記サーバー１が前記上位システム５から前記処方データ、前記検査データ、及び前記患者データなどを能動的に読み出す構成であってもよい。
【００１４】
［プリンター３］
前記プリンター３は、前記サーバー１又は前記クライアント端末２から前記通信網４を介して入力される印刷データに含まれる情報を紙などのシートに記録する印刷処理を実行可能なカラープリンター又はモノクロプリンターなどの画像形成装置である。例えば、病院又は薬局等の医療機関では、前記プリンター３によって前記処方データに基づく処方箋が印刷されることがある。また、前記プリンター３は、前記医療支援システム１０において後述の履歴画面Ｐ１（図９〜図１５参照）と同様の情報を印刷するために用いられてもよい。
【００１５】
［サーバー１］
前記サーバー１は、制御部１１、記憶部１２、通信Ｉ／Ｆ１３、表示装置１４、操作装置１５、及びドライブ装置１６などを備えるコンピュータである。なお、前記サーバー１は、前記医療支援システム１０が使用される病院又は薬局等の医療機関の外部に設けられてもよい。また、前記サーバー１は、スマートフォン、タブレット端末、又はラップトップコンピューターなどの情報処理装置であってもよい。
【００１６】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１７】
前記記憶部１２は、前記制御部１１によって実行される各種の制御プログラム及び各種のデータが記憶されるハードディスク又はＳＳＤ等の不揮発性の記憶部である。また、前記記憶部１２には、プログラム記憶部１２１、マスター記憶部１２２、及び情報記憶部１２３が含まれる。
【００１８】
前記プログラム記憶部１２１は、後述の履歴表示処理（図６〜図８参照）を前記制御部１１に実行させるための医療支援プログラムなどが記憶される記憶領域である。なお、前記プログラム記憶部１２１には、オペレーティングシステム（ＯＳ）などのプログラムも記憶される。
【００１９】
前記マスター記憶部１２２は、薬品マスター、患者マスター、第１関連付けマスターＤ１、第２関連付けマスターＤ２などの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、喫煙有無、及び病名などの情報が含まれる。
【００２０】
ここに、図２は、前記第１関連付けマスターＤ１の一例を示す図である。なお、前記第１関連付けマスターＤ１のデータ構造はここで説明するものに限らない。例えば、前記第１関連付けマスターＤ１が複数のマスターに分割されて互いに関連付けられた状態で前記マスター記憶部１２２に記憶されていてもよい。
【００２１】
図２に示されるように、前記第１関連付けマスターＤ１では、薬品ごとに、その薬品に関連する一又は複数の検査項目が記憶されている。より具体的には、薬品ごとに、その薬品を服用することによって検査結果が変化し得る一又は複数の検査項目が記憶されている。前記第１関連付けマスターＤ１では、薬品は、薬品コード、薬品名などの薬品識別情報により特定され、検査項目は、検査項目コード、検査項目名などの検査項目識別情報により特定される。すなわち、前記第１関連付けマスターＤ１では、薬品識別情報ごとに、一又は複数の検査項目識別情報が対応付けられている。前記検査項目の例としては、ＡＳＴ，ＡＬＴ，Ｃｒ，Ｎａ，Ｋ，血小板などが挙げられる。各薬品に関連付けられる検査項目の数及び種類は、薬品ごとに異なる。例えば、図２に示されるように、「Ａ薬品」には「α検査」及び「β検査」の２つの検査項目が関連付けられている。また、「Ｂ薬品」にはいずれの検査項目も関連付けられていない。また、「Ｃ薬品」には「β検査」及び「γ検査」の２つの検査項目が関連付けられている。
【００２２】
ここに、図３は、前記第２関連付けマスターＤ２の一例を示す図である。なお、前記第２関連付けマスターＤ２のデータ構造はここで説明するものに限らない。例えば、前記第２関連付けマスターＤ２が複数のマスターに分割されて互いに関連付けられた状態で前記マスター記憶部１２２に記憶されていてもよい。前記第２関連付けマスターＤ２は、本発明の対応関係情報の一例である。
【００２３】
図３に示されるように、前記第２関連付けマスターＤ２では、検査項目ごとに、その検査項目に関連する一又は複数の薬品が記憶されている。より具体的には、検査項目ごとに、その検査項目の検査結果に影響を与え得る一又は複数の薬品が記憶されている。前記第２関連付けマスターＤ２では、検査項目は、検査項目コード、検査項目名などの検査項目識別情報により特定され、薬品は、薬品コード、薬品名などの薬品識別情報により特定される。すなわち、前記第２関連付けマスターＤ２では、検査項目識別情報ごとに、一又は複数の薬品識別情報が対応付けられている。各検査項目に関連付けられる薬品の数及び種類は、検査項目ごとに異なる。例えば、図３に示されるように、「α検査」には「Ａ薬品」のみが関連付けられている。また、「β検査」には「Ａ薬品」及び「Ｃ薬品」の２つの薬品が関連付けられている。また、「γ検査」には「Ｃ薬品」のみが関連付けられている。なお、前記第２関連付けマスターＤ２は、前記第１関連付けマスターＤ１から自動的に生成されてもよい。
【００２４】
なお、前記制御部１１は、前記マスター記憶部１２２に記憶されている各種のマスター情報を、前記上位システム５から取得する情報に基づいて随時更新可能である。また、前記制御部１１は、前記サーバー１又は前記クライアント端末２を用いたユーザー操作に応じて各種のマスター情報を編集することも可能である。
【００２５】
前記情報記憶部１２３は、前記処方データ、薬歴データＤ３、検査データＤ４などの各種の情報が記憶される記憶領域である。
【００２６】
前記薬歴データＤ３は、患者各々の薬品の投与履歴（服用履歴）を示す情報である。前記制御部１１は、例えば前記サーバー１又は前記クライアント端末２のユーザー操作に応じて前記薬歴データＤ３を更新する。ここに、図４は、前記薬歴データＤ３の一例を示す図である。図４に示す前記薬歴データＤ３は、患者（患者識別情報）、投与日、薬品（薬品識別情報）、用法、一日量などの情報を含む。前記制御部１１は、前記上位システム５から取得する患者の薬歴データ、或いは、前記サーバー１又は前記クライアント端末２に挿入されるＵＳＢメモリ又はＣＤなどの記録媒体から読み取られる患者の薬歴データに基づいて前記薬歴データＤ３を更新してもよい。
【００２７】
前記検査データＤ４は、患者各々について実施された検査の結果を示す情報である。前記制御部１１は、例えば前記サーバー１又は前記クライアント端末２のユーザー操作に応じて前記検査データＤ４を更新する。ここに、図５は、前記検査データＤ４の一例を示す図である。図５に示す前記検査データＤ４は、患者（患者識別情報）、検査日、検査項目（検査項目識別情報）、検査結果などの情報を含む。前記制御部１１は、前記上位システム５から取得する患者の検査データ、或いは、前記サーバー１又は前記クライアント端末２に挿入されるＵＳＢメモリ又はＣＤなどの記録媒体から読み取られる患者の検査データに基づいて前記検査データＤ４を更新してもよい。
【００２８】
前記通信Ｉ／Ｆ１３は、前記通信網４を介して前記クライアント端末２、及び前記プリンター３などの外部機器との間で、予め定められた通信プロトコルに従って無線又は有線でデータ通信を実行するネットワークカード等を有する通信インターフェースである。
【００２９】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３０】
前記ドライブ装置１６は、前記医療支援プログラムが記録されたコンピュータ読み取り可能な記録媒体１６１から前記医療支援プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記医療支援プログラムが前記記憶部１２の前記プログラム記憶部１２１にインストールされる。
【００３１】
そして、前記サーバー１の前記制御部１１は、特定処理部１１１、提示処理部１１２、選択処理部１１３、設定処理部１１４、及び判定処理部１１５を含む。具体的に、前記制御部１１は、前記医療支援プログラムに従って後述の履歴表示処理（図６〜図８参照）などの各種の処理を実行することにより、特定処理部１１１、提示処理部１１２、選択処理部１１３、設定処理部１１４、及び判定処理部１１５として機能する。即ち、本実施形態では、前記サーバー１が、本発明に係る医療支援装置として機能する。なお、特定処理部１１１、提示処理部１１２、選択処理部１１３、設定処理部１１４、及び判定処理部１１５の一部又は全部が電子回路で構成されていてもよい。
【００３２】
また、前記サーバー１の機能の一部又は全部が前記クライアント端末２に設けられることも他の実施形態として考えられる。例えば、前記クライアント端末２に、前記医療支援プログラムがインストールされており、前記クライアント端末２の前記制御部２１が、前記サーバー１から必要な情報を適宜取得して、後述の履歴表示処理（図６〜図８参照）を実行することも考えられる。この場合、前記クライアント端末２が、本発明に係る医療支援装置として機能する。さらに、前記医療支援システム１０において、前記サーバー１及び前記クライアント端末２が協働して後述の履歴表示処理（図６〜図８参照）を実行することも考えられる。この場合、前記サーバー１及び前記クライアント端末２の組み合わせが、本発明に係る医療支援装置として機能する。この場合、前記サーバー１及び前記クライアント端末２の各々に、前記医療支援プログラムの一部又は全部がインストールされる。
【００３３】
前記特定処理部１１１は、患者に対して実施された検査の結果を示す前記検査データＤ４に含まれる一又は複数の検査項目識別情報（例えば、検査項目コード、検査項目名など）について、当該患者の薬歴を示す前記薬歴データＤ３に含まれる薬品識別情報（例えば、薬品コード、薬品名など）のうち前記検査項目識別情報各々に対応する一又は複数の薬品識別情報を前記検査項目識別情報ごとに関連薬品識別情報として特定することが可能である。例えば、前記特定処理部１１１は、前記検査項目識別情報各々に対して一又は複数の前記関連薬品識別情報が対応付けられた前記第２関連付けマスタＤ２に基づいて、前記検査項目識別情報に対応する一又は複数の前記関連薬品識別情報を特定する。なお、他の実施形態では、前記特定処理部１１１は、前記第１関連付けマスタＤ１に基づいて、前記検査項目識別情報に対応する一又は複数の前記関連薬品識別情報を特定してもよい。
【００３４】
前記提示処理部１１２は、前記検査項目識別情報と対応する前記関連薬品識別情報とを提示すると共に、前記検査データＤ４に含まれる前記検査項目識別情報に対応する検査の実施時期及び検査結果を示す検査履歴情報と前記薬歴データＤ３に含まれる前記関連薬品識別情報に対応する薬品の投与時期を示す投与履歴情報とを提示することが可能である。例えば、前記提示処理部１１２は、前記サーバー１の前記表示装置１４又は前記クライアント端末２の前記表示装置２４に、前記検査履歴情報と前記投与履歴情報とを含む画像（例えば、図１２、図１４、又は図１５に示される履歴画面Ｐ１）を表示させる。なお、他の実施形態では、前記提示処理部１１２は、前記検査履歴情報及び前記投与履歴情報を含む画像データを前記プリンター３に送信し、前記検査履歴情報及び前記投与履歴情報が記録されたシートを前記プリンター３から出力させてもよい。
【００３５】
なお、前記提示処理部１１２は、前記検査項目識別情報各々に対応する前記関連薬品識別情報に対応する前記投与履歴情報を、前記検査項目識別情報に対応する前記検査履歴情報に隣接させて配置してもよい（図１２参照）。より具体的には、前記提示処理部１１２は、前記検査履歴情報及び前記投与履歴情報を予め定められた時間軸方向に共通の時間軸に従って配置すると共に、前記検査項目識別情報各々に対応する前記関連薬品識別情報に対応する前記投与履歴情報を、前記検査項目識別情報に対応する前記検査履歴情報に対して前記時間軸方向に直交する方向に隣接させて配置してもよい（図１２参照）。
【００３６】
なお、前記提示処理部１１２は、前記薬歴データに含まれる前記薬品識別情報のうちの前記関連薬品識別情報に対応する前記投与履歴情報のみを提示してもよい。もしくは、前記提示処理部１１２は、前記関連薬品識別情報に対応する前記投与履歴情報を、前記関連薬品識別情報以外の前記薬品識別情報に対応する前記投与履歴情報よりも強調して提示してもよい。いずれの場合も、前記提示処理部１１２は、一又は複数の前記検査項目識別情報について当該検査項目識別情報に対応する前記関連薬品識別情報を識別可能に提示することが可能である。
【００３７】
前記選択処理部１１３は、前記検査データＤ４に含まれる前記検査項目識別情報の中からユーザー操作に応じて一又は複数の前記検査項目識別情報を注目検査項目識別情報として選択することが可能である。例えば、前記選択処理部１１３は、前記サーバー１の前記操作装置１５又は前記クライアント端末２の前記操作装置２５を用いたユーザー操作に応じて前記注目検査項目識別情報を選択してもよい。例えば、前記選択処理部１１３は、前記履歴画面Ｐ１に対するユーザー操作に応じて前記注目検査項目識別情報を選択してもよい。そして、前記特定処理部１１１は、前記選択処理部１１３により選択される前記注目検査項目識別情報各々に対応する一又は複数の前記薬品識別情報を前記関連薬品識別情報として特定してもよい。
【００３８】
なお、前記提示処理部１１２は、前記検査データに含まれる前記検査項目識別情報を、対応する前記検査履歴情報と共に前記表示装置１４又は前記表示装置２４に表示させてもよい（図１１参照）。例えば、前記提示処理部１１２は、図１１に示されるように、前記関連薬品識別情報及び前記投与履歴情報が非表示の状態で、前記検査データに含まれる前記検査項目識別情報を、対応する前記検査履歴情報と共に前記表示装置１４又は前記表示装置２４に表示させてもよい。そして、前記選択処理部１１３は、前記表示装置１４又は前記表示装置２４に表示された前記検査項目識別情報の中からユーザー操作（例えば、プラスボタンＢ７の操作）に応じて前記注目検査項目識別情報を選択してもよい。そして、前記特定処理部１１１は、前記選択処理部１１３により前記注目検査項目識別情報が選択されたことに応じて、当該注目検査項目識別情報に対応する前記関連薬品識別情報を特定してもよい。そして、前記提示処理部１１２は、前記関連薬品識別情報に対応する前記投与履歴情報を前記表示装置１４又は前記表示装置２４に表示させてもよい（図１２参照）。
【００３９】
なお、前記提示処理部１１２は、前記薬歴データに含まれる前記薬品識別情報に対応する前記投与履歴情報を、前記関連薬品識別情報に対応する前記投与履歴情報と他の前記投与履歴情報とを区別可能な態様で、予め定められた投与履歴表示領域Ａ７（図１３〜図１５参照）に表示してもよい。例えば、前記提示処理部１１２は、予め定められた期間において前記患者に投与された全ての薬品に関する前記投与履歴情報を、前記関連薬品識別情報に対応する前記投与履歴情報が先頭になるようにして、前記投与履歴表示領域Ａ７に表示してもよい（図１４参照）。また、前記提示処理部は、前記関連薬品識別情報に対応する前記投与履歴情報を強調表示してもよい（図１４参照）。
【００４０】
また、前記提示処理部１１２は、前記検査項目識別情報に対応する前記検査履歴情報を、予め定められたグラフ表示領域Ａ６（図１３〜図１５参照）に、検査時期及び検査値を示す折れ線グラフで表示してもよい。そして、前記選択処理部１１３は、前記グラフ表示領域Ａ６に表示される一又は複数の前記折れ線グラフの中からユーザー操作に応じて選択される前記折れ線グラフに対応する前記検査項目識別情報を前記注目検査項目識別情報として選択してもよい。
【００４１】
前記設定処理部１１４は、ユーザー操作に応じて注目期間を設定することが可能である。例えば、前記設定処理部１１４は、前記グラフ表示領域Ａ６に表示される前記折れ線グラフに含まれる線分Ｌｓ（図１３〜図１５参照）の中からユーザー操作に応じて選択される線分Ｌｓに対応する期間を注目期間として設定することが可能である。そして、前記提示処理部１１２は、前記関連薬品識別情報に対応する前記投与履歴情報のうち、前記注目期間に対応する部分を強調表示してもよい。例えば、前記提示処理部１１２は、前記注目期間に対応する部分の背景色を、通常の背景色とは異なる色に変更してもよい（図１４参照）。例えば、前記設定処理部１１４は、図１４に示されるようにマウスポインタＰが３月２日〜３月５日の期間に対応する線分Ｌｓを指している状態でクリック操作が検知されたことに応じて、３月２日〜３月５日の期間を前記注目期間として設定してもよい。そして、前記提示処理部１１２は、前記関連薬品識別情報に対応する前記投与履歴情報のうち、３月２日〜３月５日の期間に対応する部分の背景色を、通常の背景色とは異なる色に変更してもよい。
【００４２】
また、前記設定処理部１１４は、前記グラフ表示領域Ａ６に表示される前記折れ線グラフに含まれる線分Ｌｓのうち、ユーザー操作に応じて選択される日付を跨ぐ線分Ｌｓに対応する期間を前記注目期間として設定してもよい（図１５参照）。そして、前記提示処理部１１２は、前記関連薬品識別情報に対応する前記投与履歴情報のうち、前記注目期間に対応する部分を強調表示してもよい。例えば、前記設定処理部１１４は、図１５に示されるようにマウスポインタＰが３月３日の日付に対応する日付領域Ａ１を指している状態でクリック操作が検知されたことに応じて、３月３日の日付を跨ぐα検査の線分Ｌｓ及びγ検査の線分Ｌｓに基づいて前記注目期間を設定してもよい。具体的には、前記設定処理部１１４は、前記α検査の線分Ｌｓに対応する３月２日〜３月７日の期間をα検査の前記注目期間として設定し、前記γ検査の線分Ｌｓに対応する３月２日〜３月５日の期間をγ検査の前記注目期間として設定してもよい。そして、前記提示処理部１１２は、α検査に関連するＡ薬品の前記投与履歴情報のうちのα検査の前記注目期間（３月２日〜３月７日）に対応する部分の背景色と、γ検査に関連するＣ薬品の前記投与履歴情報のうちのγ検査の前記注目期間（３月２日〜３月５日）に対応する部分の背景色とを、通常の背景色とは異なる色に変更してもよい。
【００４３】
前記判定処理部１１５は、予め定められた条件を満たす薬品を注目薬品として判定することが可能である。例えば、前記判定処理部１１５は、前記薬歴データＤ３に基づいて、前記注目期間に投与状況又は薬効状態が変化した薬品を注目薬品として判定することが可能である。そして、前記提示処理部１１２は、前記注目薬品に関する前記投与履歴情報を識別可能に表示してもよい。例えば、前記提示処理部１１２は、前記注目薬品に対応する前記薬品名領域Ａ５（図１４、図１５参照）の背景色を、通常の背景色（例えば、白色）とは別の色（例えば、橙色）に変更してもよい。これにより、ユーザーは、前記注目薬品を容易に識別することができると共に、前記注目薬品の前記投与履歴情報を容易に識別することができる。なお、前記判定処理部１１５は、薬品ごとに予め定められた効果発現時間及び効果持続時間の情報に基づいて、前記注目期間に薬効状態が変化した薬品を前記注目薬品として判定してもよい。
【００４４】
［クライアント端末２］
前記クライアント端末２は、制御部２１、記憶部２２、通信Ｉ／Ｆ２３、表示装置２４、操作装置２５、及びドライブ装置２６などを備えるパーソナルコンピュータである。前記クライアント端末２各々は、前記医療支援システム１０が使用される医療機関に配置され、医師、薬剤師、臨床検査技師、看護師などのユーザーによって操作される操作端末である。なお、前記クライアント端末２は、スマートフォン、タブレット端末、ラップトップコンピューターなどの情報処理装置であってもよい。
【００４５】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４６】
前記記憶部２２は、前記制御部２１によって実行される各種の制御プログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網４を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。例えば、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００４７】
前記通信Ｉ／Ｆ２３は、前記通信網４を介して前記サーバー１、及び前記プリンター３などの外部機器との間で、予め定められた通信プロトコルに従って無線又は有線でデータ通信を実行するネットワークカード等を有する通信インターフェースである。
【００４８】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００４９】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００５０】
前記医療支援システム１０では、前記サーバー１は、ユーザーによる前記クライアント端末２に対する操作入力を受付可能である。そして、前記サーバー１は、ユーザーによる前記クライアント端末２の操作に応じて、前記履歴画面Ｐ１などの各種画面を前記クライアント端末２に表示させる。すなわち、本実施形態では、前記サーバー１及び前記クライアント端末２によりサーバクライアントシステムが構成されており、前記サーバー１が前記クライアント端末２のユーザー操作に応じて表示及び印刷などの処理を実行する。そのため、以下に説明する「表示」、「操作」、「選択」、及び「入力」は、前記クライアント端末２の前記表示装置２４及び前記操作装置２５を用いて行われるものとして説明する。なお、同様の表示及び操作などが前記サーバー１で行われてもよい。
【００５１】
ところで、前記医療支援システム１０に関連する装置として、処方歴に含まれる処方薬に関連する検査項目がある場合に、前記検査項目の検査結果を取得して、前記処方薬の処方歴と共に前記検査項目の検査結果の履歴をディスプレイに出力することが可能な電子カルテ装置が知られている。しかしながら、前記電子カルテ装置では、例えば、特定の検査項目に関する検査結果の履歴において検査値の異常な変化が見つかった場合に、そのような異常な変化を引き起こした可能性のある薬品を特定することが容易ではない。これに対し、本実施形態に係る医療支援システム１０では、所望の検査項目に関連する薬品の投与履歴情報を容易に確認することが可能である。
【００５２】
［履歴表示処理］
以下、図６〜図８のフローチャートを参照しつつ、前記サーバー１の前記制御部１１によって実行される履歴表示処理の一例について説明する。前記制御部１１は、前記クライアント端末２を用いて、前記医療支援プログラムを実行させるための予め設定された特定の開始操作が行われた場合に、前記履歴表示処理を実行する。なお、前記制御部１１は、複数の前記クライアント端末２から前記開始操作が行われた場合には、当該クライアント端末２ごとに個別に前記履歴表示処理を実行してもよい。また、前記履歴表示処理は、当該履歴表示処理の実行中であっても前記クライアント端末２に対する所定の終了操作に応じて終了することがある。なお、本発明は、前記サーバー１のようなコンピュータによって前記履歴表示処理の一部又は全部のステップを実行する医療支援方法の発明として捉えてもよい。
【００５３】
＜ステップＳ１０＞
ステップＳ１０において、前記制御部１１は、前記履歴画面Ｐ１を前記クライアント端末２に表示させる。具体的に、前記制御部１１は、前記クライアント端末２に前記履歴画面Ｐ１の表示データを送信することにより、前記クライアント端末２に前記履歴画面Ｐ１を表示させる。なお、前記制御部１１が、前記クライアント端末２に前記履歴画面Ｐ１の表示に必要なデータを送信し、前記制御部２１が、当該データに基づいて前記履歴画面Ｐ１を表示することも考えられる。即ち、前記履歴画面Ｐ１の生成及び更新は、前記サーバー１又は前記クライアント端末２のいずれで行われてもよい。
【００５４】
ここに、図９は、前記履歴画面Ｐ１の初期画面の一例を示す図である。図９に示されるように、前記履歴画面Ｐ１の上部には、対象患者を選択するための患者選択欄Ｂ１と、対象期間を選択するための期間選択欄Ｂ２とが表示される。前記制御部１１は、前記患者選択欄Ｂ１及び期間選択欄Ｂ２を通じて、前記対象期間及び前記対象患者の選択を受け付ける。そして、前記制御部１１は、前記薬歴データＤ３から前記対象期間における前記対象患者のデータを抽出して、前記履歴画面Ｐ１の中央部に、前記対象期間において前記対象患者に投与された各薬品の投与履歴情報を表示する。なお、前記投与履歴情報を表示する処理は、後述のステップＳ１２の処理と同一であるため、ここでは詳細な説明を省略する。
【００５５】
なお、図９に示される前記履歴画面Ｐ１においては全体が同時に表示されているが、他の実施形態では、例えば前記クライアント端末２における所定のスクロール操作などに応じて、前記履歴画面Ｐ１が縦方向又は横方向にスクロール表示されてもよい。
【００５６】
なお、図９に示されるように、前記履歴画面Ｐ１には、第１タブＴ１、第２タブＴ２、及び第３タブＴ３の３つのタブが表示され、初期状態では前記第１タブＴ１が選択された状態になっている。なお、他の実施形態では、初期状態が、前記第２タブＴ２又は前記第３タブＴ３が選択された状態であってもよい。
【００５７】
＜ステップＳ１１＞
ステップＳ１１において、前記制御部１１は、前記履歴画面Ｐ１に含まれる前記第１タブＴ１が操作されたか否かを判断する。そして、前記第１タブＴ１が操作されたと判断されると（Ｓ１１：Ｙｅｓ）、処理がステップＳ１２に移行する。一方、前記第１タブＴ１が操作されていないと判断されると（Ｓ１１：Ｎｏ）、処理がステップＳ３１（図７）に移行する。
【００５８】
＜ステップＳ１２＞
ステップＳ１２において、前記制御部１１は、前記履歴画面Ｐ１において、前記対象期間に前記対象患者に投与された各薬品の投与履歴情報を表示する。当該ステップＳ１２の表示処理は、前記制御部１１の提示処理部１１２によって実行される。具体的に、前記制御部１１は、前記薬歴データＤ３から前記対象期間における前記対象患者のデータを抽出し、抽出されたデータに基づいて、前記対象期間に前記対象患者に投与された薬品ごとに、薬品名、用法、一日量、及び投与時期を示す情報を表示する（図９参照）。
【００５９】
前記制御部１１は、前記履歴画面Ｐ１において、各薬品の投与時期を示す情報（前記投与履歴情報）を、共通の時間軸に従って時系列で表示する。具体的に、前記制御部１１は、日付を示す複数の日付領域Ａ１を左右方向に時系列で並べて表示すると共に、各日付における各薬品の投与状況を示す投与状況領域Ａ２を左右方向に並べて表示する。図９において、投与状況領域Ａ２に表示されている黒色の丸印は、対応する薬品が投与されたことを示している。例えば、図９に示される前記履歴画面Ｐ１からは、Ａ薬品が２月２１日から３月１日まで投与されていることが分かる。また、Ｂ薬品が２月２７日から３月４日まで投与されていることが分かる。また、Ｃ薬品が２月２１日から２月２６日まで投与されていることが分かる。
【００６０】
図９に示されるように、前記履歴画面Ｐ１には、チェックボックスＢ３及びプラスボタンＢ４が含まれている。前記プラスボタンＢ４は、薬品ごとに設けられている。前記プラスボタンＢ４は、一般に「展開ボタン」と称されることもある。
【００６１】
＜ステップＳ１３＞
ステップＳ１３において、前記制御部１１は、前記履歴画面Ｐ１に含まれる前記チェックボックスＢ３がオンされたか否かを判断する。具体的に、前記制御部１１は、前記チェックボックスＢ３がオフの状態（すなわち、図９に示されるようにチェックが入っていない状態）で前記チェックボックスＢ３が操作された場合に、前記チェックボックスＢ３がオンされたと判断する。そして、前記チェックボックスＢ３がオンされたと判断されると（Ｓ１３：Ｙｅｓ）、処理がステップＳ１４に移行する。一方、前記チェックボックスＢ３がオンされていないと判断されると（Ｓ１３：Ｎｏ）、処理がステップＳ１６に移行する。
【００６２】
＜ステップＳ１４＞
ステップＳ１４において、前記制御部１１は、各薬品の関連検査項目を特定する。具体的に、前記制御部１１は、前記第１関連付けマスタＤ１に基づいて、前記対象期間に前記対象患者に投与された薬品ごとに、前記薬品に関連する一又は複数の検査項目を前記関連検査項目として特定する。例えば、前記制御部１１は、図２に示される前記第１関連付けマスタＤ１に基づいて、薬品Ａに対応する前記関連検査項目として、α検査及びβ検査の２つの検査項目を特定する。また、前記制御部１１は、薬品Ｃに対応する前記関連検査項目として、β検査及びγ検査の２つの検査項目を特定する。
【００６３】
＜ステップＳ１５＞
ステップＳ１５において、前記制御部１１は、前記履歴画面Ｐ１において、前記ステップＳ１４で特定された前記関連検査項目の検査履歴情報を表示する。具体的に、前記制御部１１は、前記検査データＤ４から前記対象期間における前記対象患者のデータを抽出し、抽出されたデータに基づいて、前記関連検査項目の検査時期及び検査結果を示す前記検査履歴情報を表示する（図１０参照）。なお、図１０に示される前記履歴画面Ｐ１では、前記関連検査項目ごとに、「ＭＩＮ／ＭＡＸ」として、検査結果の正常範囲を示す情報が表示されている。
【００６４】
前記制御部１１は、前記履歴画面Ｐ１において、前記検査履歴情報を、前記投与履歴情報と共通の時間軸に従って時系列で表示する。具体的に、前記制御部１１は、各日付における前記関連検査項目の検査状況を示す検査状況領域Ａ３を左右方向に並べて表示する。図１０において、検査状況領域Ａ３に表示されている値は、その日の検査結果（検査値）を示している。値が表示されていない検査状況領域Ａ３は、その日に前記関連検査項目の検査が実施されていないことを示している。例えば、図１０に示される前記履歴画面Ｐ１からは、α検査が２月２０日と２月２４日と３月２日と３月７日に実施されていることと、それぞれの日の検査結果とが分かる。また、β検査が２月２２日と２月２８日に実施されていることと、それぞれの日の検査結果とが分かる。また、γ検査が２月２０日と２月２３日と２月２６日と３月２日と３月５日に実施されていることと、それぞれの日の検査結果とが分かる。
【００６５】
なお、前記制御部１１は、前記履歴画面Ｐ１において、前記関連検査項目の前記検査履歴情報を、前記関連検査項目に対応する薬品の前記投与履歴情報に隣接する位置に配置する。例えば、図１０に示される前記履歴画面Ｐ１では、Ａ薬品の前記投与履歴情報に隣接する位置には、当該Ａ薬品に関連するα検査及びβ検査の前記検査履歴情報が表示されている。また、Ｃ薬品の前記投与履歴情報に隣接する位置には、当該Ｃ薬品に関連するγ検査及びβ検査の前記検査履歴情報が表示されている。そのため、ユーザーは、各薬品の前記投与履歴情報に加えて、各薬品に関連する検査項目の前記検査履歴情報を容易に確認することができる。また、前記検査履歴情報が、対応する前記投与履歴情報に隣接して表示されるので、前記投与履歴情報と前記検査履歴情報とをより容易に見比べることができる。よって、例えば、各薬品の投与状況が変化したことによって、関連する検査項目の検査結果がどのように変化したかを容易に確認することができる。なお、図１０に示される前記履歴画面Ｐ１では、前記検査履歴情報が表示されたことに伴って、前記プラスボタンＢ４の代わりにマイナスボタンＢ５が表示される。前記マイナスボタンＢ５は、一般に「折り畳みボタン」と称されることもある。そして、処理がステップＳ１６に移行する。
【００６６】
＜ステップＳ１６＞
ステップＳ１６において、前記制御部１１は、前記履歴画面Ｐ１に含まれる前記チェックボックスＢ３がオフされたか否かを判断する。具体的に、前記制御部１１は、前記チェックボックスＢ３がオンの状態（すなわち、図１０に示されるようにチェックが入っている状態）で前記チェックボックスＢ３が操作された場合に、前記チェックボックスＢ３がオフされたと判断する。そして、前記チェックボックスＢ３がオフされたと判断されると（Ｓ１６：Ｙｅｓ）、処理がステップＳ１７に移行する。一方、前記チェックボックスＢ３がオフされていないと判断されると（Ｓ１６：Ｎｏ）、処理がステップＳ１８に移行する。
【００６７】
＜ステップＳ１７＞
ステップＳ１７において、前記制御部１１は、前記履歴画面Ｐ１において、全ての前記検査履歴情報を非表示にする。その結果、例えば、図１０に示される前記履歴画面Ｐ１から図９に示される前記履歴画面Ｐ１へと前記履歴画面Ｐ１が変化する。そして、処理がステップＳ１８に移行する。
【００６８】
＜ステップＳ１８＞
ステップＳ１８において、前記制御部１１は、前記履歴画面Ｐ１に含まれるいずれかの前記プラスボタンＢ４が操作されたか否かを判断する。そして、いずれかの前記プラスボタンＢ４が操作されたと判断されると（Ｓ１８：Ｙｅｓ）、処理がステップＳ１９に移行する。一方、いずれの前記プラスボタンＢ４も操作されていないと判断されると（Ｓ１８：Ｎｏ）、処理がステップＳ２１に移行する。
【００６９】
＜ステップＳ１９＞
ステップＳ１９において、前記制御部１１は、操作された前記プラスボタンＢ４に対応する薬品の前記関連検査項目を特定する。具体的に、前記制御部１１は、前記第１関連付けマスタＤ１に基づいて、操作されたプラスボタンＢ４に対応する薬品に関連する一又は複数の検査項目を前記関連検査項目として特定する。例えば、Ａ薬品に対応する前記プラスボタンＢ４が操作された場合、前記制御部１１は、図２に示される前記第１関連付けマスタＤ１に基づいて、薬品Ａに対応する前記関連検査項目として、α検査及びβ検査の２つの検査項目を特定する。また、Ｃ薬品に対応する前記プラスボタンＢ４が操作された場合、前記制御部１１は、薬品Ｃに対応する前記関連検査項目として、β検査及びγ検査の２つの検査項目を特定する。
【００７０】
＜ステップＳ２０＞
ステップＳ２０において、前記制御部１１は、前記履歴画面Ｐ１において、前記ステップＳ２０で特定された前記関連検査項目の前記検査履歴情報を表示する。具体的に、前記制御部１１は、前記関連検査項目の前記検査履歴情報を、操作された前記プラスボタンＢ４に対応する薬品の前記投与履歴情報に隣接する位置に配置する。このとき、前記検査履歴情報が表示されたことに伴って、操作された前記プラスボタンＢ４が前記マイナスボタンＢ５に変わる。そして、処理がステップＳ２１に移行する。
【００７１】
＜ステップＳ２１＞
ステップＳ２１において、前記制御部１１は、前記履歴画面Ｐ１に含まれるいずれかの前記マイナスボタンＢ５が操作されたか否かを判断する。そして、いずれかの前記マイナスボタンＢ５が操作されたと判断されると（Ｓ２１：Ｙｅｓ）、処理がステップＳ２２に移行する。一方、いずれの前記マイナスボタンＢ５も操作されていないと判断されると（Ｓ２１：Ｎｏ）、処理がステップＳ２３に移行する。
【００７２】
＜ステップＳ２２＞
ステップＳ２２において、前記制御部１１は、前記履歴画面Ｐ１において、操作された前記マイナスボタンＢ５に対応する薬品の前記関連検査項目の前記検査履歴情報を非表示にする。このとき、前記検査履歴情報が非表示になったことに伴って、操作された前記マイナスボタンＢ５が前記プラスボタンＢ４に変わる。そして、処理がステップＳ２３に移行する。
【００７３】
＜ステップＳ２３＞
ステップＳ２３において、前記制御部１１は、前記履歴画面Ｐ１に含まれる他のタブ（すなわち、前記第２タブＴ２又は前記第３タブＴ３）が操作されたか否かを判断する。そして、他のタブが操作されたと判断されると（Ｓ２３：Ｙｅｓ）、処理がステップＳ３１（図７）に移行する。一方、他のタブが操作されていないと判断されると（Ｓ２３：Ｎｏ）、処理が前記ステップＳ１２に戻る。
【００７４】
＜ステップＳ３１＞
ステップＳ３１において、前記制御部１１は、前記履歴画面Ｐ１に含まれる前記第２タブＴ２が操作されたか否かを判断する。そして、前記第２タブＴ２が操作されたと判断されると（Ｓ３１：Ｙｅｓ）、処理がステップＳ３２に移行する。一方、前記第２タブＴ２が操作されていないと判断されると（Ｓ３１：Ｎｏ）、処理がステップＳ５１（図８）に移行する。
【００７５】
＜ステップＳ３２＞
ステップＳ３２において、前記制御部１１は、前記履歴画面Ｐ１において、前記対象期間に前記対象患者に実施した検査の各検査項目の前記検査履歴情報を表示する。具体的に、前記制御部１１は、前記検査データＤ４から前記対象期間における前記対象患者のデータを抽出し、抽出されたデータに基づいて、前記対象期間に前記対象患者に実施した検査の検査項目ごとに、前記検査履歴情報を表示する（図１１参照）。
【００７６】
前記制御部１１は、前記履歴画面Ｐ１において、各検査項目の検査時期及び検査結果を示す情報（前記検査履歴情報）を、共通の時間軸に従って時系列で表示する。具体的に、前記制御部１１は、複数の前記日付領域Ａ１を左右方向に時系列で並べて表示すると共に、各日付における各検査項目の検査状況を示す前記検査状況領域Ａ３を左右方向に並べて表示する。
【００７７】
図１１に示されるように、前記履歴画面Ｐ１には、チェックボックスＢ６及びプラスボタンＢ７が含まれている。前記プラスボタンＢ７は、検査項目ごとに設けられている。
【００７８】
＜ステップＳ３３＞
ステップＳ３３において、前記制御部１１は、前記履歴画面Ｐ１に含まれる前記チェックボックスＢ６がオンされたか否かを判断する。そして、前記チェックボックスＢ６がオンされたと判断されると（Ｓ３３：Ｙｅｓ）、処理がステップＳ３４に移行する。一方、前記チェックボックスＢ６がオンされていないと判断されると（Ｓ３３：Ｎｏ）、処理がステップＳ３６に移行する。
【００７９】
＜ステップＳ３４＞
ステップＳ３４において、前記制御部１１は、各検査項目の関連薬品を特定する。当該ステップＳ３４の特定処理は、前記制御部１１の前記特定処理部１１１によって実行される。具体的に、前記制御部１１は、前記第２関連付けマスタＤ２に基づいて、前記対象期間に前記対象患者に実施された検査の検査項目ごとに、前記検査項目に関連する一又は複数の薬品を前記関連薬品として特定する。例えば、前記制御部１１は、図３に示される前記第２関連付けマスタＤ２に基づいて、α検査に対応する前記関連薬品として、薬品Ａを特定する。また、前記制御部１１は、β検査に対応する前記関連薬品として、薬品Ａ及び薬品Ｃの２つの薬品を特定する。また、前記制御部１１は、γ検査に対応する前記関連薬品として、薬品Ｃを特定する。
【００８０】
＜ステップＳ３５＞
ステップＳ３５において、前記制御部１１は、前記履歴画面Ｐ１において、前記ステップＳ３４で特定された前記関連薬品の投与履歴情報を表示する。当該ステップＳ３５の表示処理は、前記制御部１１の前記提示処理部１１２によって実行される。具体的に、前記制御部１１は、前記薬歴データＤ３から前記対象期間における前記対象患者のデータを抽出し、抽出されたデータに基づいて、前記関連薬品の投与時期を示す前記投与履歴情報を表示する（図１２参照）。
【００８１】
前記制御部１１は、前記履歴画面Ｐ１において、前記関連薬品の前記投与履歴情報を、前記関連薬品に対応する検査項目の前記検査履歴情報に隣接する位置に配置する。例えば、図１２に示される前記履歴画面Ｐ１では、α検査の前記検査履歴情報に隣接する位置には、当該α検査に関連するＡ薬品の前記投与履歴情報が表示されている。また、β検査の前記検査履歴情報に隣接する位置には、当該β検査に関連するＡ薬品及びＣ薬品の前記投与履歴情報が表示されている。また、γ検査の前記検査履歴情報に隣接する位置には、当該γ検査に関連するＣ薬品の前記投与履歴情報が表示されている。そのため、ユーザーは、各検査項目の前記検査履歴情報に加えて、各検査項目に関連する薬品の前記投与履歴情報を容易に確認することができる。また、前記投与履歴情報が、対応する前記検査履歴情報に隣接して表示されるので、前記検査履歴情報と前記投与履歴情報とをより容易に見比べることができる。よって、例えば、特定の検査項目に関する検査結果の履歴において検査値の異常な変化が見つかった場合に、そのような異常な変化を引き起こした可能性のある薬品を特定することが容易となる。また、特定の検査項目に関連する薬品が複数種類ある場合に、当該複数種類の薬品の前記投与履歴情報が互いに隣接して表示されるので、当該複数種類の薬品の前記投与履歴情報を容易に確認することができる。なお、図１２に示される前記履歴画面Ｐ１では、前記投与履歴情報が表示されたことに伴って、前記プラスボタンＢ７の代わりにマイナスボタンＢ８が表示される。
【００８２】
このように、本実施形態では、前記第２タブＴ２が操作された直後の前記履歴画面Ｐ１（図１１）において、複数の検査項目の前記検査履歴情報が表示される。そして、前記チェックボックスＢ６がオンされると、各検査項目の前記検査履歴情報に隣接して、各検査項目の検査値に影響を及ぼす薬品の前記投与履歴情報が新たに表示される。これにより、ユーザーは、各検査項目に対応する前記投与履歴情報を直感的に把握することができる。
【００８３】
＜ステップＳ３６＞
ステップＳ３６において、前記制御部１１は、前記履歴画面Ｐ１に含まれる前記チェックボックスＢ６がオフされたか否かを判断する。そして、前記チェックボックスＢ６がオフされたと判断されると（Ｓ３６：Ｙｅｓ）、処理がステップＳ３７に移行する。一方、前記チェックボックスＢ６がオフされていないと判断されると（Ｓ３６：Ｎｏ）、処理がステップＳ３８に移行する。
【００８４】
＜ステップＳ３７＞
ステップＳ３７において、前記制御部１１は、前記履歴画面Ｐ１において、全ての前記投与履歴情報を非表示にする。その結果、例えば、図１２に示される前記履歴画面Ｐ１から図１１に示される前記履歴画面Ｐ１へと前記履歴画面Ｐ１が変化する。そして、処理がステップＳ３８に移行する。
【００８５】
＜ステップＳ３８＞
ステップＳ３８において、前記制御部１１は、前記履歴画面Ｐ１に含まれるいずれかの前記プラスボタンＢ７が操作されたか否かを判断する。そして、いずれかの前記プラスボタンＢ７が操作されたと判断されると（Ｓ３８：Ｙｅｓ）、処理がステップＳ３９に移行する。一方、いずれの前記プラスボタンＢ７も操作されていないと判断されると（Ｓ３８：Ｎｏ）、処理がステップＳ４１に移行する。
【００８６】
＜ステップＳ３９＞
ステップＳ３９において、前記制御部１１は、操作された前記プラスボタンＢ７に対応する検査項目の前記関連薬品を特定する。当該ステップＳ３９の特定処理は、前記制御部１１の前記選択処理部１１３及び前記特定処理部１１１によって実行される。具体的に、前記制御部１１は、操作されたプラスボタンＢ７に対応する検査項目を注目検査項目として選択する。そして、前記制御部１１は、前記第２関連付けマスタＤ２に基づいて、前記注目検査項目に関連する一又は複数の薬品を前記関連薬品として特定する。例えば、α検査に対応する前記プラスボタンＢ７が操作された場合、前記制御部１１は、α検査を前記注目検査項目として選択し、図３に示される前記第２関連付けマスタＤ２に基づいて、α検査に対応する前記関連薬品として、Ａ薬品を特定する。また、β検査に対応する前記プラスボタンＢ７が操作された場合、β検査を前記注目検査項目として選択し、前記制御部１１は、β検査に対応する前記関連薬品として、Ａ薬品及びＣ薬品の２つの薬品を特定する。また、γ検査に対応する前記プラスボタンＢ７が操作された場合、前記制御部１１は、γ検査を前記注目検査項目として選択し、γ検査に対応する前記関連薬品として、Ｃ薬品を特定する。
【００８７】
＜ステップＳ４０＞
ステップＳ４０において、前記制御部１１は、前記履歴画面Ｐ１において、前記ステップＳ４０で特定された前記関連薬品の前記投与履歴情報を表示する。当該ステップＳ３５の表示処理は、前記制御部１１の前記提示処理部１１２によって実行される。具体的に、前記制御部１１は、前記関連薬品の前記投与履歴情報を、操作された前記プラスボタンＢ７に対応する検査項目の前記検査履歴情報に隣接する位置に配置する。このとき、前記投与履歴情報が表示されたことに伴って、操作された前記プラスボタンＢ７が前記マイナスボタンＢ８に変わる。そして、処理がステップＳ４１に移行する。
【００８８】
このように、本実施形態では、前記第２タブＴ２が操作された直後の前記履歴画面Ｐ１（図１１）において、複数の検査項目の前記検査履歴情報が表示される。これにより、ユーザーは、複数の検査項目の中から検査値が異常に変化している検査項目を容易に見つけ出すことができる。また、検査値が異常に変化している検査項目が見つかった場合には、ユーザーは、その検査項目に対応する前記プラスボタンＢ７を操作することによって、その検査項目の検査値に影響を及ぼす薬品の前記投与履歴情報を表示させることができる。これにより、その検査項目の検査値に影響を及ぼさない薬品の前記投与履歴情報は表示されないので、ユーザーは、無駄な情報に惑わされることなく、検査値が異常に変化した原因を効率的に追究することができる。また、検査値が異常に変化している検査項目の前記検査履歴情報に隣接して前記投与履歴情報が表示されるので、検査値の変化状況と関連する薬品の投与状況とを容易に見比べることができる。これにより、投薬状況の良し悪しを判断する際の作業効率が向上する。
【００８９】
なお、本実施形態では、前記第２タブＴ２が操作された直後の前記履歴画面Ｐ１が、図１１に示される状態であるが、他の実施形態では、前記第２タブＴ２が操作された直後の前記履歴画面Ｐ１が、図１２に示される状態であってもよい。この状態で、ユーザーによって任意の検査項目が選択されると（例えば、前記検査項目に対応するマイナスボタンＢ８が操作されると）、選択された検査項目に対応する前記関連薬品の前記投与履歴情報が非表示になる。
【００９０】
＜ステップＳ４１＞
ステップＳ４１において、前記制御部１１は、前記履歴画面Ｐ１に含まれるいずれかの前記マイナスボタンＢ８が操作されたか否かを判断する。そして、いずれかの前記マイナスボタンＢ８が操作されたと判断されると（Ｓ４１：Ｙｅｓ）、処理がステップＳ４２に移行する。一方、いずれの前記マイナスボタンＢ８も操作されていないと判断されると（Ｓ４１：Ｎｏ）、処理がステップＳ４３に移行する。
【００９１】
＜ステップＳ４２＞
ステップＳ４２において、前記制御部１１は、前記履歴画面Ｐ１において、操作された前記マイナスボタンＢ８に対応する検査項目の前記関連薬品の前記投与履歴情報を非表示にする。このとき、前記投与履歴情報が非表示になったことに伴って、操作された前記マイナスボタンＢ８が前記プラスボタンＢ７に変わる。そして、処理がステップＳ４３に移行する。
【００９２】
＜ステップＳ４３＞
ステップＳ４３において、前記制御部１１は、前記履歴画面Ｐ１に含まれる他のタブ（すなわち、前記第１タブＴ１又は前記第３タブＴ３）が操作されたか否かを判断する。そして、他のタブが操作されたと判断されると（Ｓ４３：Ｙｅｓ）、処理がステップＳ５１（図８）に移行する。一方、他のタブが操作されていないと判断されると（Ｓ４３：Ｎｏ）、処理が前記ステップＳ３２に戻る。
【００９３】
なお、本実施形態では、前記第２タブＴ２が操作された直後の前記履歴画面Ｐ１（図１１）では前記投与履歴情報が１つも表示されないが、本発明はこれに限定されない。例えば、他の実施形態では、前記第２タブＴ２が操作された直後の前記履歴画面Ｐ１が、図１２に示される状態（すなわち、各検査項目に対応する前記関連薬品の前記投与履歴情報が全て表示されている状態）であってもよい。この場合、ユーザーは、前記マイナスボタンＢ８を操作することによって、不必要な前記投与履歴情報を非表示にすることができる。
【００９４】
＜ステップＳ５１＞
ステップＳ５１において、前記制御部１１は、前記履歴画面Ｐ１に含まれる前記第３タブＴ３が操作されたか否かを判断する。そして、前記第３タブＴ３が操作されたと判断されると（Ｓ５１：Ｙｅｓ）、処理がステップＳ５２に移行する。一方、前記第３タブＴ３が操作されていないと判断されると（Ｓ５１：Ｎｏ）、処理が前記ステップＳ１１（図６）に戻る。
【００９５】
＜ステップＳ５２＞
ステップＳ５２において、前記制御部１１は、前記履歴画面Ｐ１において、前記対象期間に前記対象患者に実施した検査の各検査項目の前記検査履歴情報を表示する。具体的に、前記制御部１１は、各検査項目の前記検査履歴情報を、図１３に示されるような折れ線グラフで、グラフ表示領域Ａ６に表示する。なお、図１３に示される前記履歴画面Ｐ１には、検査項目ごとにチェックボックスＢ９が表示されており、前記チェックボックスＢ９がオンの状態になっている検査項目に対応する前記折れ線グラフが前記グラフ表示領域Ａ６に表示される。前記折れ線グラフは、複数のマーカーＭと、隣接する２つの前記マーカー間を結ぶ線分Ｌｓとで構成される。
【００９６】
なお、前記第３タブＴ３が操作された直後の初期状態において、全ての検査項目に対応する前記チェックボックスＢ９がオンの状態になっていてもよい。この場合、前記初期状態において、全ての検査項目に対応する前記折れ線グラフが前記グラフ表示領域Ａ６に表示される。ユーザーは、任意の前記チェックボックスＢ９をオフにすることによって、対応する前記折れ線グラフを非表示にすることができる。
【００９７】
他の実施形態では、前記初期状態において、全ての検査項目に対応する前記チェックボックスＢ９がオフの状態になっていてもよい。この場合、前記初期状態において、いずれの検査項目に対応する前記折れ線グラフも前記グラフ表示領域Ａ６に表示されない。ユーザーは、任意の前記チェックボックスＢ９をオンにすることによって、対応する前記折れ線グラフを表示させることができる。
【００９８】
さらに他の実施形態では、前記初期状態において、各検査項目に対応する前記チェックボックスＢ９の状態が、前記第３タブＴ３が操作される直前に表示されていた前記履歴画面Ｐ１の状態に基づいて設定されてもよい。例えば、第２タブＴ２が操作された場合の前記履歴画面Ｐ１（図１１、図１２参照）で前記マイナスボタンＢ８が表示されている検査項目（すなわち、関連薬品の薬品名が展開表示されている検査項目）については、前記第３タブＴ３が操作された直後の初期状態において、対応する前記チェックボックスＢ９がオンに設定されてもよい。そして、第２タブＴ２が操作された場合の前記履歴画面Ｐ１（図１１、図１２参照）で前記プラスボタンＢ７が表示されている検査項目（すなわち、関連薬品の薬品名が折り畳み表示されている検査項目）については、前記第３タブＴ３が操作された直後の初期状態において、対応する前記チェックボックスＢ９がオフに設定されてもよい。
【００９９】
前記グラフ表示領域Ａ６に表示される前記折れ線グラフは、対応する検査項目の検査時期及び検査結果を示している。例えば、図１３に示される上側の前記折れ線グラフ（すなわち、白い円のマーカーＭを含む前記折れ線グラフ）は、α検査の検査時期及び検査結果を示しており、下側の前記折れ線グラフ（すなわち、白い四角のマーカーＭを含む前記折れ線グラフ）は、γ検査の検査時期及び検査結果を示している。また、左右方向における前記マーカーＭの位置が検査日を示しており、上下方向における前記マーカーＭの位置が検査値を示している。グラフ表示領域Ａ６には、正常範囲の上限に対応する上限ラインＬ１と、正常範囲の下限に対応する下限ラインＬ２とが表示されている。すなわち、上下方向における前記マーカーＭの位置は、検査項目ごとに予め定められた正常範囲に対する検査値の相対位置を示している。例えば、前記マーカーＭの位置が上限ラインＬ１の上側にあれば、検査値が正常範囲の上限を超えていることを意味し、前記マーカーＭの位置が下限ラインＬ２の下側にあれば、検査値が正常範囲の下限を下回っていることを意味する。例えば、図１３に示される前記履歴画面Ｐ１からは、α検査の検査値が、３月２日に実施した検査では正常範囲内だったが、３月７日に実施した検査では正常範囲外になったことが分かる。また、γ検査の検査値が、２月２６日に実施した検査では正常範囲外だったが、３月２日に実施した検査では正常範囲内になったことが分かる。
【０１００】
＜ステップＳ５３＞
ステップＳ５３において、前記制御部１１は、前記履歴画面Ｐ１において、前記対象期間に前記対象患者に投与された各薬品の投与時期を示す前記投与履歴情報を、投与履歴表示領域Ａ７に表示する（図１３）。具体的に、前記制御部１１は、各薬品の前記投与履歴情報を、前記ステップＳ５２で前記グラフ表示領域Ａ６に前記折れ線グラフとして表示された前記検査履歴情報と共通の時間軸に従って時系列で表示する。
【０１０１】
＜ステップＳ５４＞
ステップＳ５４において、前記制御部１１は、前記グラフ表示領域Ａ６に表示されているいずれかの前記線分Ｌｓ、又は前記対象期間中のいずれかの日付が選択されたか否かを判断する。例えば、前記制御部１１は、図１４に示されるようにマウスポインタＰが３月２日〜３月５日の期間に対応する線分Ｌｓを指している状態でクリック操作が検知されると、３月２日〜３月５日の期間に対応する線分Ｌｓが選択されたと判断する。また、前記制御部１１は、図１５に示されるようにマウスポインタＰが３月３日の日付に対応する日付領域Ａ１を指している状態でクリック操作が検知されると、３月３日の日付が選択されたと判断する。そして、前記線分Ｌｓ又は前記日付が選択されたと判断されると（Ｓ５４：Ｙｅｓ）、処理がステップＳ５５に移行する。一方、前記線分Ｌｓ又は前記日付が選択されていないと判断されると（Ｓ５４：Ｎｏ）、処理がステップＳ６４に移行する。
【０１０２】
＜ステップＳ５５＞
ステップＳ５５において、前記制御部１１は、前記対象期間に前記対象患者に実施した検査の検査項目の中から注目検査項目を選択する。当該ステップＳ５５の選択処理は、前記制御部１１の前記選択処理部１１３によって実行される。例えば、前記制御部１１は、選択された前記線分Ｌｓを含む前記折れ線グラフに対応する検査項目を、前記注目検査項目として選択する。例えば、図１４に示される例では、γ検査に対応する前記折れ線グラフに含まれる前記線分Ｌｓが選択されたことに応じて、γ検査が前記注目検査項目として選択される。なお、選択された前記線分Ｌｓは、他の線分Ｌｓよりも強調表示される。また、前記制御部１１は、選択された前記日付を跨ぐ前記線分Ｌｓを含む前記折れ線グラフに対応する検査項目を、前記注目検査項目として選択する。例えば、図１５に示される例では、３月３日の日付の前記日付領域Ａ１が選択されたことに応じて、３月３日の日付を跨ぐ前記線分Ｌｓを含む前記折れ線グラフに対応する検査項目（ここでは、α検査及びγ検査の２つの検査項目）が、前記注目検査項目として選択される。なお、選択された前記日付を跨ぐ前記線分Ｌｓは、他の線分Ｌｓよりも強調表示される。
【０１０３】
なお、他の実施形態では、前記制御部１１は、各検査項目の検査項目名を示す検査項目名領域Ａ４が操作されたことに応じて、当該選択された検査項目名領域Ａ４に対応する検査項目を、前記注目検査項目として選択してもよい。さらに他の実施形態では、前記制御部１１は、前記検査履歴情報に応じて前記注目検査項目を自動的に選択してもよい。例えば、前記制御部１１は、前記対象期間において検査値が異常に上昇又は下降している検査項目を前記注目検査項目として自動的に選択してもよい。さらに他の実施形態では、前記制御部１１は、前記注目検査項目に対応する前記検査項目名領域Ａ４を強調表示してもよい。例えば、前記制御部１１は、前記注目検査項目に対応する前記検査項目名領域Ａ４の背景色を、通常の背景色（例えば、白色）とは別の色（例えば、赤色）に変更してもよい。
【０１０４】
＜ステップＳ５６＞
ステップＳ５６において、前記制御部１１は、前記対象期間における注目期間を設定する。当該ステップＳ５６の選択処理は、前記制御部１１の前記設定処理部１１４によって実行される。例えば、前記制御部１１は、選択された前記線分Ｌｓの左側端部のマーカーＭが示す日付から右側端部のマーカーＭが示す日付までの期間を、前記注目期間として設定する。例えば、図１４に示される例では、３月２日から３月５日までの期間が前記注目期間として設定される。また、前記制御部１１は、選択された前記日付を跨ぐ前記線分Ｌｓの左側端部のマーカーＭが示す日付から右側端部のマーカーＭが示す日付までの期間を、前記注目期間として設定する。なお、選択された前記日付を跨ぐ前記線分Ｌｓが複数ある場合に、前記制御部１１は、前記線分Ｌｓに対応する検査項目ごとに個別に前記注目期間を設定してもよい。例えば、図１５に示される例では、３月２日から３月７日までの期間がα検査に対応する前記注目期間として設定され、３月２日から３月５日までの期間がγ検査に対応する前記注目期間として設定される。なお、他の実施形態では、選択された前記日付を跨ぐ前記線分Ｌｓが複数ある場合に、前記制御部１１は、これらの複数の前記線分Ｌｓの両端部のマーカーＭのうちの最も左側のマーカーＭが示す日付から最も右側のマーカーＭが示す日付までの期間を、前記注目期間として選択してもよい。この場合、図１５に示される例では、３月２日から３月７日までの期間が前記注目期間として設定される。
【０１０５】
＜ステップＳ５７＞
ステップＳ５７において、前記制御部１１は、前記ステップＳ５５で選択された前記注目検査項目の前記関連薬品を特定する。当該ステップＳ５７の特定処理は、前記制御部１１の前記特定処理部１１１によって実行される。具体的に、前記制御部１１は、前記第２関連付けマスタＤ２に基づいて、前記注目検査項目に関連する一又は複数の薬品を前記関連薬品として特定する。
【０１０６】
＜ステップＳ５８＞
ステップＳ５８において、前記制御部１１は、前記ステップＳ５６で設定された前記注目期間に応じて注目薬品を判定する。当該ステップＳ５８の判定処理は、前記制御部１１の前記判定処理部１１５によって実行される。具体的に、前記制御部１１は、前記対象期間に前記対象患者に投与された薬品のうち、前記注目期間に投与状況が変化した薬品を、前記注目薬品として判定する。なお、前記注目期間に投与状況が変化した薬品とは、例えば、前記注目期間に投与が開始された薬品、前記注目期間に投与が中止された薬品、前記注目期間に投与量が変化した薬品などである。例えば、図１４に示される例では、３月２日から３月５日までの前記注目期間の途中でＢ薬品の投与が中断されている。よって、Ｂ薬品が前記注目薬品として判定される。前記注目薬品は、前記注目検査項目の検査値の変化に影響を及ぼした可能性がある薬品として、前記関連薬品の次に注意を払うべき要注意薬品である。
【０１０７】
なお、薬品の投与を開始してからその効果が発現するまでの効果発現日数は、薬品ごとに異なっている。また、薬品の投与を終了してからその効果が消失するまでの効果持続日数も、薬品ごとに異なっている。よって、前記ステップＳ５８における前記注目薬品の判定では、前記効果発現日数及び前記効果持続日数を考慮して前記注目薬品が判定されてもよい。すなわち、前記制御部１１は、前記対象期間に前記対象患者に投与された薬品のうち、前記注目期間に薬効状態が変化した薬品（ただし、前記ステップＳ５７で前記関連薬品として特定された薬品は除く）を、前記注目薬品として判定してもよい。例えば、図１４に示される例において、Ａ薬品の前記効果持続日数が２日である場合、前記注目期間の途中でＡ薬品の効果が消失するので、Ａ薬品が前記注目薬品として判定されてもよい。なお、前記制御部１１は、例えば、薬品ごとの前記効果発現日数及び前記効果持続日数の情報を含む前記薬品マスターを参照して、前記注目薬品を判定してもよい。
【０１０８】
なお、前記制御部１１は、前記対象期間に前記対象患者に投与された薬品のうち、前記対象患者に投与されたときに副作用が起きたことのある薬品を前記注目薬品として判定してもよい。前記制御部１１は、例えば、前記薬歴データＤ３において薬品ごとに設けられている副作用フラグに基づいて前記判定を行うことができる。また、前記制御部１１は、前記対象期間に前記対象患者に投与された薬品のうち、前記薬歴データＤ３に医師などの医療スタッフによるコメントが入力されている薬品を前記注目薬品として判定してもよい。前記制御部１１は、例えば、前記薬歴データＤ３において薬品ごとに設けられているコメントデータに基づいて前記判定を行うことができる。
【０１０９】
＜ステップＳ５９＞
ステップＳ５９において、前記制御部１１は、投与履歴表示領域Ａ７に表示されている各薬品の前記投与履歴情報を並べ替える。当該ステップＳ５９の並べ替え処理は、前記制御部１１の前記提示処理部１１２によって実行される。具体的に、前記制御部１１は、前記ステップＳ５７で特定された前記関連薬品の前記投与履歴情報を先頭位置（すなわち、グラフ表示領域Ａ６に最も近い位置）に移動させる。例えば、図１４に示される例では、前記関連薬品であるＣ薬品の前記投与履歴情報が先頭位置に表示されている。また、図１５に示される例では、前記関連薬品であるＡ薬品及びＣ薬品の前記投与履歴情報が先頭位置に表示されている。これにより、ユーザーは、投与履歴表示領域Ａ７に表示されている各薬品の前記投与履歴情報の中から、前記注目検査項目に関連する薬品の前記投与履歴情報をより容易に見つけることができる。また、前記注目検査項目に関連する薬品の前記投与履歴情報が、前記注目検査項目に対応する前記検査履歴情報（前記折れ線グラフ）により近い位置に表示されるので、前記検査履歴情報と前記投与履歴情報とをより容易に見比べることができる。なお、前記関連薬品の中に前記注目薬品が含まれている場合には、前記制御部１１は、前記注目薬品を先頭位置に移動させてもよい。前記関連薬品の中に含まれる前記注目薬品（すなわち、前記ステップＳ５７で前記関連薬品として特定され、且つ前記ステップＳ５８で前記注目薬品として判定された薬品）は、前記関連薬品の中でも特に注目すべき薬品だからである。例えば、図１５において、α検査に対応する前記注目期間が３月２日から３月７日までの期間であり、α検査に対応する前記関連薬品であるＡ薬品は３月２日に投与が中断されている。よって、Ａ薬品は、前記関連薬品であると同時に前記注目薬品でもあるので、先頭位置に移動される。
【０１１０】
また、前記制御部１１は、前記ステップＳ５８で判定された前記注目薬品の前記投与履歴情報を、前記関連薬品の前記投与履歴情報の直後の位置に移動させる。例えば、図１４に示される例では、前記注目薬品であるＢ薬品の前記投与履歴情報が、前記関連薬品であるＣ薬品の直後の位置に表示されている。また、図１５に示される例では、前記注目薬品であるＢ薬品の前記投与履歴情報が、前記関連薬品であるＡ薬品及びＣ薬品の前記投与履歴情報の直後に表示されている。これにより、ユーザーは、投与履歴表示領域Ａ７に表示されている各薬品の前記投与履歴情報の中から、前記注目薬品の前記投与履歴情報をより容易に見つけることができる。また、前記注目薬品の前記投与履歴情報が、前記注目検査項目に対応する前記検査履歴情報（前記折れ線グラフ）により近い位置に表示されるので、前記検査履歴情報と前記投与履歴情報とをより容易に見比べることができる。
【０１１１】
＜ステップＳ６０＞
ステップＳ６０において、前記制御部１１は、前記関連薬品及び前記注目薬品を強調表示する。当該ステップＳ６０の強調表示処理は、前記制御部１１の前記提示処理部１１２によって実行される。例えば、前記制御部１１は、前記関連薬品に対応する薬品名領域Ａ５の背景色を、通常の背景色（例えば、白色）とは別の色（例えば、赤色）に変更してもよい。また、前記制御部１１は、前記注目薬品（前記関連薬品を除く）に対応する前記薬品名領域Ａ５の背景色を、さらに別の色（例えば、橙色）に変更してもよい。これにより、ユーザーは、前記関連薬品を容易に識別することができると共に、前記関連薬品の前記投与履歴情報を容易に識別することができる。また、ユーザーは、前記注目薬品を容易に識別することができると共に、前記注目薬品の前記投与履歴情報を容易に識別することができる。なお、強調表示の他の例として、例えば、文字色、文字サイズ、文字の太さ、枠線の太さなどが変更されてもよい。また、強調表示のさらに他の例として、前記注目薬品に対応する薬品名領域Ａ５内又はその近傍に、所定のマーク又はアイコンが表示されてもよい。
【０１１２】
例えば、前記制御部１１は、前記関連薬品に対応する薬品名領域Ａ５の背景色を通常の背景色とは別の色に変更すると共に、前記注目薬品に対応する前記薬品名領域Ａ５の枠線を太くしてもよい。これにより、ユーザーは、前記関連薬品の中に含まれる前記注目薬品（すなわち、前記ステップＳ５７で前記関連薬品として特定され、且つ前記ステップＳ５８で前記注目薬品として判定された薬品）を容易に識別することができる。
【０１１３】
また、前記制御部１１は、前記注目薬品の強調表示の態様を、前記注目薬品として判定された理由に応じて異ならせてもよい。例えば、前記制御部１１は、前記注目期間に投与が開始された前記注目薬品と、前記注目期間に投与が中止された前記注目薬品と、前記対象患者に投与されたときに副作用が起きたことのある前記注目薬品と、前記薬歴データＤ３に医師などの医療スタッフによるコメントが入力されている前記注目薬品とで、強調表示の態様を異ならせてもよい。例えば、前記制御部１１は、前記注目薬品に対応する薬品名領域Ａ５内又はその近傍に、前記注目薬品として判定された理由に応じて異なるマーク又はアイコンを表示してもよい。これにより、ユーザーは、前記注目薬品を注目すべき理由が分かるので、検査値が異常に変化した原因を効率的に追究することができ、、投薬状況の良し悪しを判断する際の作業効率が向上する。
【０１１４】
また、前記制御部１１は、前記薬歴データＤ３に医師などの医療スタッフによるコメントが入力されている前記注目薬品に対応する薬品名領域Ａ５、前記マーク、前記アイコン等が操作された場合に、前記コメントをポップアップ表示させてもよい。
【０１１５】
また、前記対象患者に投与されたときに副作用が起きたことのある前記注目薬品と、前記薬歴データＤ３に医師などの医療スタッフによるコメントが入力されている前記注目薬品については特に注目して確認すべき薬品である。よって、前記制御部１１は、これらの注目薬品については、前記注目期間が設定されていない状態（すなわち、前記ステップＳ５４でＮｏの場合）であっても常に強調表示するようにしてもよい。
【０１１６】
また、前記制御部１１は、前記関連薬品の前記投与履歴情報を表示するための複数の前記投与状況領域Ａ２のうち、前記ステップＳ５６で設定された前記注目期間に対応する前記投与状況領域Ａ２の背景色を、通常の背景色（例えば、白色）とは別の色（例えば、赤色）に変更してもよい。また、前記制御部１１は、前記注目薬品の前記投与履歴情報を表示するための複数の前記投与状況領域Ａ２のうち、前記ステップＳ５６で設定された前記注目期間に対応する前記投与状況領域Ａ２の背景色を、さらに別の色（例えば、橙色）に変更してもよい。これにより、ユーザーは、前記注目期間における前記関連薬品及び前記注目薬品の投与状況をより容易に確認することができる。
【０１１７】
このように、本実施形態では、前記第３タブＴ３が操作された場合に、前記チェックボックスＢ９がオンの状態になっている検査項目に対応する前記折れ線グラフが前記グラフ表示領域Ａ６に表示される。これにより、ユーザーは、所望の検査項目の中から検査値が異常に変化している検査項目を容易に見つけ出すことができる。また、検査値が異常に変化している検査項目が見つかった場合には、ユーザーは、その検査項目に対応する折れ線グラフに含まれる線分Ｌｓを選択することによって、その検査項目の検査値に影響を及ぼす薬品の前記投与履歴情報を投与履歴表示領域Ａ７の先頭位置に表示させることができる。これにより、ユーザーは、検査値の変化状況と関連する薬品の投与状況とを容易に見比べることができる。これにより、投薬状況の良し悪しを判断する際の作業効率が向上する。
【０１１８】
＜ステップＳ６１＞
ステップＳ６１において、前記制御部１１は、前記履歴画面Ｐ１に含まれる他のタブ（すなわち、前記第１タブＴ１又は前記第２タブＴ２）が操作されたか否かを判断する。そして、他のタブが操作されたと判断されると（Ｓ６１：Ｙｅｓ）、処理が前記ステップＳ１１（図６）に戻る。一方、他のタブが操作されていないと判断されると（Ｓ６１：Ｎｏ）、処理が前記ステップＳ５２に戻る。
【０１１９】
以上のように、本実施形態に係る医療支援システム１０では、図１２に示される前記履歴画面Ｐ１のように、検査項目ごとに一又は複数の前記関連薬品の前記投与履歴情報が前記検査項目の前記検査履歴情報に隣接して表示される。よって、本実施形態に係る医療支援システム１０によれば、所望の検査項目に関連する薬品の前記投与履歴情報を容易に確認することが可能である。
【０１２０】
また、本実施形態に係る医療支援システム１０では、図１４に示される前記履歴画面Ｐ１のように、前記注目検査項目に対応する前記関連薬品の前記投与履歴情報が識別可能に表示される。よって、本実施形態に係る医療支援システム１０によれば、所望の検査項目に関連する薬品の前記投与履歴情報を容易に確認することが可能である。
【０１２１】
なお、本実施形態では、図１２に示される前記履歴画面Ｐ１において、前記関連薬品以外の薬品の前記投与履歴情報が表示されていないが、本発明はこれに限定されない。他の実施形態では、検査項目ごとに、前記関連薬品の前記投与履歴情報に加えて前記注目薬品（例えば、前記対象期間に投与状況又は薬効状態が変化した薬品）の前記投与履歴情報が表示されてもよい。さらには、検査項目ごとに、前記対象期間において前記注目患者に投与された全ての薬品の前記投与履歴情報が表示されてもよい。この場合、前記制御部１１は、前記ステップＳ５９及び前記ステップＳ６０と同様に、前記関連薬品及び前記注目薬品の前記投与履歴情報の並べ替え又は強調表示を行ってもよい。
【０１２２】
また、本実施形態では、図１３〜図１５に示される前記履歴画面Ｐ１において、前記対象期間に前記対象患者に投与された全ての薬品の前記投与履歴情報が前記投与履歴表示領域Ａ７に表示されているが、本発明はこれに限定されない。他の実施形態では、前記チェックボックスＢ９がオンの状態になっている検査項目に関連する薬品の前記投与履歴情報のみが前記投与履歴表示領域Ａ７に表示されてもよい（図１６参照）。そして、前記設定処理部１１４により前記注目期間が設定されたことに応じて、前記チェックボックスＢ９がオンの状態になっている検査項目に関連する薬品の前記投与履歴情報に加えて、前記注目薬品の前記投与履歴情報が前記投与履歴表示領域Ａ７に表示されてもよい。
【０１２３】
また、他の実施形態では、前記提示処理部１１２は、前記注目薬品に関する前記投与履歴情報を、予め定められた注目薬品表示領域Ｐ８（図１７〜図２２参照）に表示してもよい。
【０１２４】
例えば、前記提示処理部１１２は、図１７に示されるように、前記第２タブＴ２が選択された状態の前記履歴画面Ｐ１において、前記対象期間（ここでは、２０１７年２月２０日〜２０１７年３月１０日の期間）に投与状況又は薬効状態が変化した薬品（ここでは、Ａ薬品、Ｂ薬品、及びＣ薬品）に関する前記投与履歴情報を、前記注目薬品に関する前記投与履歴情報として前記注目薬品表示領域Ｐ８に表示してもよい。
【０１２５】
また、前記提示処理部１１２は、図１８に示されるように、前記第２タブＴ２が選択された状態の前記履歴画面Ｐ１において、前記関連薬品（ここでは、薬品Ａ）以外の前記注目薬品（ここでは、Ｂ薬品及びＣ薬品）に関する前記投与履歴情報のみを前記注目薬品表示領域Ｐ８に表示してもよい。この場合、前記提示処理部１１２は、前記関連薬品のうちの前記注目薬品に該当する薬品を、前記注目薬品であることを識別可能な表示態様で表示してもよい。例えば、前記提示処理部１１２は、前記第２タブＴ２が選択された状態の前記履歴画面Ｐ１において、前記関連薬品のうちの前記注目薬品に該当する薬品の薬品名の表示位置の近傍に、図１９に示されるようなアイコンＧ１を表示してもよい。
【０１２６】
また、前記提示処理部１１２は、図２０に示されるように、前記第３タブＴ３が選択された状態の前記履歴画面Ｐ１において、前記注目期間（ここでは、２０１７年２月２０日〜２０１７年２月２４日の期間）に投与状況又は薬効状態が変化した薬品（ここでは、Ａ薬品及びＣ薬品）に関する前記投与履歴情報を、前記注目薬品に関する前記投与履歴情報として前記注目薬品表示領域Ｐ８に表示してもよい。
【０１２７】
また、前記提示処理部１１２は、図２１に示されるように、前記第３タブＴ３が選択された状態の前記履歴画面Ｐ１において、前記関連薬品（ここでは、薬品Ａ）以外の前記注目薬品（ここでは、Ｃ薬品）に関する前記投与履歴情報のみを前記注目薬品表示領域Ｐ８に表示してもよい。この場合、前記提示処理部１１２は、前記関連薬品のうちの前記注目薬品に該当する薬品を、前記注目薬品であることを識別可能な表示態様で表示してもよい。例えば、前記提示処理部１１２は、前記第３タブＴ３が選択された状態の前記履歴画面Ｐ１において、前記関連薬品のうちの前記注目薬品に該当する薬品の薬品名の表示位置の近傍に、図２２に示されるようなアイコンＧ１を表示してもよい。
【０１２８】
また、他の実施形態では、前記提示処理部１１２は、図２３に示されるように、前記第１タブＴ１が操作された直後の状態の前記履歴画面Ｐ１において、前記対象期間に前記対象患者に実施した全ての検査項目の前記検査履歴情報を、予め定められた表示領域Ｐ９に表示してもよい。そして、前記提示処理部１１２は、いずれか一つ又は複数の薬品が選択された場合に、当該選択された薬品に関連する検査項目の前記検査履歴情報と、その他の検査項目の前記検査履歴情報とを識別可能に表示してもよい。例えば、前記提示処理部１１２は、図２４に示されるように、前記選択された薬品（ここでは、Ａ薬品）に関連する検査項目（ここでは、α検査及びβ検査）の前記検査履歴情報については当該薬品の前記投与履歴情報に隣接させて表示し、その他の検査項目（ここでは、γ検査）の前記検査履歴情報のみを前記表示領域Ｐ９に表示させてもよい。これにより、ユーザーは、前記選択された薬品に関連付けられていない検索項目の中に、実は何らかの要因で注意すべき検査項目が含まれていたとしても、当該検査項目に気付き易くなる。
【０１２９】
また、他の実施形態では、前記提示処理部１１２は、図２５に示されるように、前記第２タブＴ２が操作された直後の状態の前記履歴画面Ｐ１において、前記対象期間に前記対象患者に投与された全ての薬品の前記投与履歴情報を、予め定められた表示領域Ｐ１０に表示してもよい。そして、前記提示処理部１１２は、いずれか一つ又は複数の検査項目が選択された場合に、当該選択された検査項目に関連する薬品の前記投与履歴情報と、その他の薬品の前記投与履歴情報とを識別可能に表示してもよい。例えば、前記提示処理部１１２は、図２６に示されるように、前記選択された検査項目（ここでは、α検査）に関連する薬品（ここでは、Ａ薬品）の前記投与履歴情報については当該検査項目の前記検査履歴情報に隣接させて表示し、その他の薬品（ここでは、Ｂ薬品及びＣ薬品）の前記投与履歴情報のみを前記表示領域Ｐ１０に表示させてもよい。これにより、ユーザーは、前記選択された検査項目に関連付けられていない薬品の中に、実は何らかの要因で注意すべき薬品が含まれていたとしても、当該薬品に気付き易くなる。
【０１３０】
また、本実施形態では、左右方向に沿った時間軸に従って前記検査履歴情報及び前記投与履歴情報が表示されるが、本発明はこれに限定されない。他の実施形態では、例えば上下方向に沿った時間軸に従って前記検査履歴情報及び前記投与履歴情報が表示されてもよい。
【０１３１】
また、本実施形態では、前記ステップＳ３４、前記ステップＳ３９、及び前記ステップＳ５７において、前記第２関連付けマスタＤ２に基づいて前記関連薬品が特定されるが、本発明はこれに限定されない。他の実施形態では、前記制御部１１は、前記第１関連付けマスタＤ１に基づいて前記関連薬品を特定してもよい。
【０１３２】
［発明の付記］
以下、上述の実施形態から抽出される発明の技術的思想について付記する。また、以下に付記する各構成及び各処理機能を取捨選択して任意に組み合わせることも可能である。
【０１３３】
＜付記１＞
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定する特定処理部と、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示する提示処理部と、
を備える医療支援装置。
【０１３４】
＜付記２＞
前記提示処理部は、前記検査項目識別情報各々に対応する前記関連薬品識別情報に対応する前記投与履歴情報を、前記検査項目識別情報に対応する前記検査履歴情報に隣接させて配置する、
付記１に記載の医療支援装置。
【０１３５】
＜付記３＞
前記提示処理部は、前記検査履歴情報及び前記投与履歴情報を予め定められた時間軸方向に共通の時間軸に従って配置すると共に、前記検査項目識別情報各々に対応する前記関連薬品識別情報に対応する前記投与履歴情報を、前記検査項目識別情報に対応する前記検査履歴情報に対して前記時間軸方向に直交する方向に隣接させて配置する、
付記２に記載の医療支援装置。
【０１３６】
＜付記４＞
前記特定処理部は、前記検査項目識別情報各々に対して一又は複数の前記関連薬品識別情報が対応付けられた対応関係情報に基づいて、前記検査項目識別情報に対応する一又は複数の前記関連薬品識別情報を特定する、
付記１〜３のいずれかに記載の医療支援装置。
【０１３７】
＜付記５＞
前記提示処理部は、前記薬歴データに含まれる前記薬品識別情報のうちの前記関連薬品識別情報に対応する前記投与履歴情報のみを提示する、
付記１〜４のいずれかに記載の医療支援装置。
【０１３８】
＜付記６＞
前記提示処理部は、前記関連薬品識別情報に対応する前記投与履歴情報を、前記関連薬品識別情報以外の前記薬品識別情報に対応する前記投与履歴情報よりも強調して提示する、
付記１〜４のいずれかに記載の医療支援装置。
【０１３９】
＜付記７＞
前記検査データに含まれる前記検査項目識別情報の中からユーザー操作に応じて一又は複数の前記検査項目識別情報を注目検査項目識別情報として選択する選択処理部を更に備え、
前記特定処理部は、前記選択処理部により選択される前記注目検査項目識別情報各々に対応する一又は複数の前記薬品識別情報を前記関連薬品識別情報として特定する、
付記１に記載の医療支援装置。
【０１４０】
＜付記８＞
前記提示処理部は、前記検査データに含まれる前記検査項目識別情報を、対応する前記検査履歴情報と共に表示部に表示させ、
前記選択処理部は、前記表示部に表示された前記検査項目識別情報の中からユーザー操作に応じて前記注目検査項目識別情報を選択し、
前記特定処理部は、前記選択処理部により前記注目検査項目識別情報が選択されたことに応じて、当該注目検査項目識別情報に対応する前記関連薬品識別情報を特定し、
前記提示処理部は、前記関連薬品識別情報に対応する前記投与履歴情報を前記表示部に表示させる、
付記７に記載の医療支援装置。
【０１４１】
＜付記９＞
前記提示処理部は、前記関連薬品識別情報及び前記投与履歴情報が非表示の状態で、前記検査データに含まれる前記検査項目識別情報を、対応する前記検査履歴情報と共に表示部に表示させる、
付記８に記載の医療支援装置。
【０１４２】
＜付記１０＞
前記提示処理部は、前記薬歴データに含まれる前記薬品識別情報に対応する前記投与履歴情報を、前記関連薬品識別情報に対応する前記投与履歴情報と他の前記投与履歴情報とを区別可能な態様で、予め定められた投与履歴表示領域に表示する、
付記７に記載の医療支援装置。
【０１４３】
＜付記１１＞
前記提示処理部は、前記投与履歴表示領域に表示される前記投与履歴情報のうち、前記関連薬品識別情報に対応する前記投与履歴情報を先頭に表示する、
付記１０に記載の医療支援装置。
【０１４４】
＜付記１２＞
前記提示処理部は、前記関連薬品識別情報に対応する前記投与履歴情報を強調表示する、
付記１０又は付記１１に記載の医療支援装置。
【０１４５】
＜付記１３＞
前記提示処理部は、前記検査項目識別情報に対応する前記検査履歴情報を、予め定められたグラフ表示領域に、検査時期及び検査値を示す折れ線グラフで表示し、
前記選択処理部は、前記グラフ表示領域に表示される一又は複数の前記折れ線グラフの中からユーザー操作に応じて選択される前記折れ線グラフに対応する前記検査項目識別情報を前記注目検査項目識別情報として選択する、
付記７〜１２のいずれかに記載の医療支援装置。
【０１４６】
＜付記１４＞
前記グラフ表示領域に表示される前記折れ線グラフに含まれる線分の中からユーザー操作に応じて選択される線分に対応する期間を注目期間として設定する設定処理部を更に備え、
前記提示処理部は、前記関連薬品識別情報に対応する前記投与履歴情報のうち、前記注目期間に対応する部分を強調表示する、
付記１３に記載の医療支援装置。
【０１４７】
＜付記１５＞
前記グラフ表示領域に表示される前記折れ線グラフに含まれる線分のうち、ユーザー操作に応じて選択される日付を跨ぐ線分に対応する期間を注目期間として設定する設定処理部を更に備え、
前記提示処理部は、前記関連薬品識別情報に対応する前記投与履歴情報のうち、前記注目期間に対応する部分を強調表示する、
付記１３に記載の医療支援装置。
【０１４８】
＜付記１６＞
前記提示処理部は、予め定められた期間において前記患者に投与された全ての薬品に関する前記投与履歴情報を前記投与履歴表示領域に表示する、
付記１０〜１５のいすれかに記載の医療支援装置。
【０１４９】
＜付記１７＞
予め定められた条件を満たす薬品を注目薬品として判定する判定処理部を更に備え、
前記提示処理部は、前記注目薬品に関する前記投与履歴情報を識別可能に提示する、
付記１〜１６のいずれかに記載の医療支援装置。
【０１５０】
＜付記１８＞
前記提示処理部は、前記関連薬品識別情報に対応する薬品以外の前記注目薬品に関する前記投与履歴情報を、予め定められた注目薬品表示領域に表示する、
付記１７に記載の医療支援装置。
【０１５１】
＜付記１９＞
ユーザー操作に応じて注目期間を設定する設定処理部と、
前記薬歴データに基づいて、前記注目期間に投与状況又は薬効状態が変化した薬品を注目薬品として判定する判定処理部とを更に備え、
前記提示処理部は、前記注目薬品に関する前記投与履歴情報を識別可能に提示する、
付記１〜１４のいずれかに記載の医療支援装置。
【０１５２】
＜付記２０＞
前記判定処理部は、薬品ごとに予め定められた効果発現時間及び効果持続時間の情報に基づいて、前記注目期間に薬効状態が変化した薬品を前記注目薬品として判定する、
付記１９に記載の医療支援装置。
【０１５３】
＜付記２１＞
コンピュータに、
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することと、
を実行させるための医療支援プログラム。
【０１５４】
＜付記２２＞
患者に対して実施された検査の結果を示す検査データに含まれる一又は複数の検査項目識別情報について、当該患者の薬歴を示す薬歴データに含まれる薬品識別情報のうち前記検査項目識別情報各々に対応する一又は複数の薬品識別情報を前記検査項目識別情報ごとに関連薬品識別情報として特定することと、
前記検査項目識別情報と対応する前記関連薬品識別情報とを提示すると共に、前記検査データに含まれる前記検査項目識別情報に対応する検査の実施時期及び検査結果を示す検査履歴情報と前記薬歴データに含まれる前記関連薬品識別情報に対応する薬品の投与時期を示す投与履歴情報とを提示することと、
を含む医療支援方法。
【符号の説明】
【０１５５】
１  ：サーバー
１１：制御部
１２：記憶部
１３：通信Ｉ／Ｆ
１４：操作装置
１５：表示装置
１６：ドライブ装置
２  ：クライアント端末
２１：制御部
２２：記憶部
２３：通信Ｉ／Ｆ
２４：操作装置
２５：表示装置
２６：ドライブ装置
３  ：プリンター
１０：医療支援システム
【図１】
2019021268.tif 000003
【図２】
2019021268.tif 000004
【図３】
2019021268.tif 000005
【図４】
2019021268.tif 000006
【図５】
2019021268.tif 000007
【図６】
2019021268.tif 000008
【図７】
2019021268.tif 000009
【図８】
2019021268.tif 000010
【図９】
2019021268.tif 000011
【図１０】
2019021268.tif 000012
【図１１】
2019021268.tif 000013
【図１２】
2019021268.tif 000014
【図１３】
2019021268.tif 000015
【図１４】
2019021268.tif 000016
【図１５】
2019021268.tif 000017
【図１６】
2019021268.tif 000018
【図１７】
2019021268.tif 000019
【図１８】
2019021268.tif 000020
【図１９】
2019021268.tif 000021
【図２０】
2019021268.tif 000022
【図２１】
2019021268.tif 000023
【図２２】
2019021268.tif 000024
【図２３】
2019021268.tif 000025
【図２４】
2019021268.tif 000026
【図２５】
2019021268.tif 000027
【図２６】
2019021268.tif 000028